(57)【要約】【課題】映像並びに音声の表示の際、複数のメニューを操作を統一することで迅速に行うことが可能なＤＶＤ再生装置の提供を目的とする。【解決手段】リモコン１２のメニューキーの操作に基づいて、メニュー画面表示手段２４にメニュー画面を表示させるとともに、上下キー１２ｂ５と左右キー１２ｂ６、さらにはエンターキー１２ｂ７にてメニュー画面上に表示されたサブメニューを選択する指示を出すメニュー画面切り替え手段１４とを有する。【選択図】図１
2007306060.tif 000002
【特許請求の範囲】
【請求項１】
メニューキーを操作して映像や音声の再生中に画質や音声の設定のためのメニュー画面を表示するとともに、上記表示されメニュー画面上にて、上下キー、左右キー、エンターキーを用いて上記メニュー画面上にて各種設定を行うリモコンと、
上記リモコンからの操作信号を受信して、上記メニュー画面を表示するための指示を出すマイコンと、
上記マイコンが所定の制御を行うためのＥＥＰＲＯＭとを有するＤＶＤ再生装置において、
上記ＥＥＰＲＯＭは、
当該ＤＶＤ再生装置が設定するメニューの、操作名称、操作回数、さらにはアドレスを記録するとともに、ＤＶＤメディアが記録する操作メニューに関する設定データや当該ＤＶＤ再生装置の設定データに基づいて使用できないメニューを判定するメニュー操作テーブルを記録するとともに、
上記マイコンが、上記リモコンのメニューキーの操作に連動させて、上記メニューに対応したメニュー画面の表示を切り替えを行うとともに、上記上下キー、左右キー、さらにはエンターキーのいずかにて上記メニュー画面上に表示されたメニュー画面の各種設定を選択するメニュー画面選択プログラムを記録し、
上記メニュー画面選択プログラムは、上記マイコンが上記メニュー操作テーブルを参照して、上記メニューキーの押圧に連動して、画面上に上記各メニューを表示していく指示を出すとともに、上記上下キー、左右キー、さらにはエンターキーのいずれかの操作に基づいて上記選択されたメニューの設定を切り替え、
上記メニューが使用できない場合は、使用できないメニューに対応する上記メニュー画面を画面に表示しないよう指示を出し、
上記メニューの使用回数が使用回数を表すしきい値以下である場合は、上記しきい値以下であるメニューを画面に表示しないよう指示を出すことを特徴とするＤＶＤ再生装置。
【請求項２】
映像や音声を再生中に画質や音声の設定のためのメニュー画面をリモコンのメニューキーを操作して表示させるとともに、上下キー、左右キー、およびエンターキーを用いて上記メニュー画面上にて映像や音声の設定を変更可能なＤＶＤ再生装置において、
上記リモコンのメニューキーの操作に連動させて、画面に表示された上記メニュー画面の表示を切り替えるメニュー画面切り替え手段と、
上記上下キー、左右キー、さらにはエンターキーのいずかにて上記メニュー画面上に表示されたメニュー画面の各種設定を選択を指示する設定選択手段とを有することを特徴とするＤＶＤ再生装置。
【請求項３】
上記メニュー画面切り替え手段は、ＤＶＤメディアが記録する操作メニューに関する設定データや、当該ＤＶＤ再生装置の設定データに基づいて、使用できないメニューに対応する上記メニュー画面を画面に表示しないことを特徴とする請求項２に記載のＤＶＤ再生装置。
【請求項４】
上記メニュー画面切り替え手段は、上記リモコンの操作に対応する操作履歴を記録しており、上記操作履歴に記録されるメニューの使用回数が使用回数を表すしきい値以下である場合は、上記しきい値以下であるメニューを画面に表示しないことを特徴とする請求項２または請求項３のいずれかに記載のＤＶＤ再生装置。
【発明の詳細な説明】
【技術分野】
【０００１】
本発明は、ＤＶＤ再生装置に関し、特に、リモコンを用いて画面上にメニュー画面を表示するＤＶＤ再生装置に関する。 
【背景技術】
【０００２】
現在ＤＶＤ再生装置等の映像再生装置は、映像の再生中に画質の調整や音声の調整を行うことが可能である。画質の調整の一例としては、映像データにパケット上に記録された異なる映像を表示させるためのサブタイトル、映像を表示する角度を変えるアングル、映像のある一箇所を拡大するズーム、映像の黒レベルの階調を調整するブラックレベル、さらにはサーチ、マーカーサーチ等が上げられる。また、音声の調整の一例としては、音域を変化させるオーディオメニュー、臨場感のある音声にするバーチャルサラウンドシステム、さらにはリピートレベル、ＡーＢリピート等が上げられる。
【０００３】
上述した各調整メニューは、あらかじめ設定しておく設定メニューと異なり映像、または音声を再生させながらユーザの嗜好に合わせて調整を行うため、調整操作はスムーズであることが望ましい。しかしながら、現在装置自身の高機能化にともない、上記したような様々なメニューが設定されているため、リモコンにて上記メニューをメニュー画面にて操作する場合、各メニューに対応するキーを操作する必要があり、調整操作をスムーズに行うことが難しかった。さらには、上記した装置自体が持つメニューの中には、ＤＶＤ等のメディア側に記録されたデータにより使用できないメニューも存在するため、上述した調整操作をスムーズに行えない原因の一つになっていた。
【０００４】
リモコンの操作を簡易にする方法としては、傾斜検出手段を用いてリモコンの傾斜角度に合わせて操作モードを切り替えることで、操作キーの数を減らしてブラインドタッチを可能にする方法が開示されている（例えば、特許文献１参照。）。
【０００５】
また、ジョグダイヤルを使用したリモコンにおいて、画面に表示されたカーソルを上記ジョグダイヤルを用いて素早く選択するために、メニューを円形に配置する表示制御手段と、カーソルを円形に沿って移動させる機能制御手段とを有し、ジョグダイヤルの動作に連動させてカーソルを移動させる方法が開示されている（例えば、特許文献２参照。）。
【０００６】
さらには、リモコンの操作キーを減少させるために、数値コードと制御信号を対応付けしたコードファイルを記録し、上記数値コードに対応するキーを操作するたびに、各操作キーに対応する操作信号が切り替わる方法が開示されている（例えば、特許文献３参照。）。
【０００７】
上述した特許文献３の変形例として、リモコンの操作キーを減少させるために、プリセットにより所定のキーの操作により、操作キーに対応する操作信号が切り替わる方法が開示されている（例えば、特許文献４、特許文献５参照。）。
【特許文献１】特開２００１−２５１６９３
【特許文献２】特開２００２−３６９０３０
【特許文献３】特開２００１−２５０７８
【特許文献４】特開平９−３０７９６８
【特許文献５】特開平２−２５７７９５
【発明の開示】
【発明が解決しようとする課題】
【０００８】
上述した特許文献１の発明は、次のような課題があった。つまり、リモコンの角度に応じてメニューの切り替えを行っているため、決められた角度にリモコンを傾けるためのリモコン自体の操作に習熟度が必要だった。さらには、メニュー自体が多義にわたった場合は、上記したようなリモコンの角度を基にした選択では対応できなった。
【０００９】
また、特許文献２の発明は、次のような課題がった。特許文献２の発明はジョダイアルを使用したリモコンに特化しており、操作キーを押圧するなどして操作するリモコンには適用できなかった。
【００１０】
さらに、特許文献３、特許文献４、特許文献５の発明は、次のような課題があった。つまり、モードが多数に渡る場合では、切り替え操作を何回もする必要があるとともに、各操作モードが何番のキーに対応するかを覚えておく必要があり、有る程度の習熟度を要した。
【００１１】
本発明は、上記課題にかんがみてなされたもので、映像並びに音声の表示の際、複数のメニューを操作を統一することで迅速に行うことが可能なＤＶＤ再生装置の提供を目的とする。
【課題を解決するための手段】
【００１２】
上記課題を解決するために、本発明の請求項１にかかる発明では、メニューキーを操作して映像や音声の再生中に画質や音声の設定のためのメニュー画面を表示するとともに、上記表示されメニュー画面上にて、上下キー、左右キー、エンターキーを用いて上記メニュー画面上にて各種設定を行うリモコンと、上記リモコンからの操作信号を受信して、上記メニュー画面を表示するための指示を出すマイコンと、上記マイコンが所定の制御を行うためのＥＥＰＲＯＭとを有するＤＶＤ再生装置において、
上記ＥＥＰＲＯＭは、当該ＤＶＤ再生装置が設定するメニューの、操作名称、操作回数、さらにはアドレスを記録するとともに、ＤＶＤメディアが記録する操作メニューに関する設定データや当該ＤＶＤ再生装置の設定データに基づいて使用できないメニューを判定するメニュー操作テーブルを記録するとともに、上記マイコンが、上記リモコンのメニューキーの操作に連動させて、上記メニューに対応したメニュー画面の表示を切り替えを行うとともに、上記上下キー、左右キー、さらにはエンターキーのいずかにて上記メニュー画面上に表示されたメニュー画面の各種設定を選択するメニュー画面選択プログラムを記録し、上記メニュー画面選択プログラムは、上記マイコンが上記メニュー操作テーブルを参照して、上記メニューキーの押圧に連動して、画面上に上記各メニューを表示していく指示を出し、上記上下キー、左右キー、さらにはエンターキーのいずれかの操作に基づいて上記選択されたメニューの設定を切り替え、上記メニューが使用できない場合は、使用できないメニューに対応する上記メニュー画面を画面に表示しないよう指示を出し、
上記メニューの使用回数が使用回数を表すしきい値以下である場合は、上記しきい値以下であるメニューを画面に表示しないよう指示を出す構成としてある。
【００１３】
上記のように構成した請求項１にかかる発明においては、上記ＥＥＰＲＯＭは、当該ＤＶＤ再生装置が設定するメニューの、操作名称、操作回数、さらにはアドレスを記録するとともに、ＤＶＤメディアが記録する操作メニューに関する設定データや当該ＤＶＤ再生装置の設定データに基づいて使用できないメニューを判定するメニュー操作テーブルを記録する。さらには、上記マイコンが上記リモコンのメニューキーの操作に連動させて、上記メニューに対応したメニュー画面の表示を切り替えを行うとともに、上記上下キー、左右キー、さらにはエンターキーのいずかにて上記メニュー画面上に表示されたメニュー画面の各種設定を選択するメニュー画面選択プログラムを記録する。これにより、上記マイコンが上記メニュー操作テーブルを参照して、上記メニューキーの押圧に連動して、画面上に上記各メニューを表示していく指示を出し、上記上下キー、左右キー、さらにはエンターキーのいずれかの操作に基づいて上記選択されたメニューの設定を切り替え、上記メニューが使用できない場合は、使用できないメニューに対応する上記メニュー画面を画面に表示しないよう指示を出し、上記メニューの使用回数が使用回数を表すしきい値以下である場合は、上記しきい値以下であるメニューを画面に表示しないよう指示を出す。
【００１４】
また、上記目的を達成するために、請求項２に記載のＤＶＤ再生装置では、映像や音声を再生中に画質や音声の設定のためのメニュー画面をリモコンのメニューキーを操作して表示させるとともに、上下キー、左右キー、およびエンターキーを用いて上記メニュー画面上にて映像や音声を調整可能なＤＶＤ再生装置において、
上記リモコンのメニューキーの操作に連動させて、画面に表示された上記メニュー画面の表示を切り替えるメニュー画面切り替え手段と、上記上下キー、左右キー、さらにはエンターキーのいずかにて上記メニュー画面上に表示されたメニュー画面の各種設定を選択を指示する設定選択手段とを有する構成としてある。
【００１５】
上記のように構成した発明において、メニュー画面切り替え手段は上記リモコンのメニューキーの操作に連動させて、画面に表示された上記メニュー画面の表示を切り替え、上記設定選択手段は、上記上下キー、左右キー、さらにはエンターキーのいずかにて上記メニュー画面上に表示されたメニュー画面の各種設定を選択を指示するので、映像、および音声の再生時に複数のメニューを簡易な操作で迅速に行うことができ、さらには操作キーの数を少なくすることができる。上述した、メニュー画面切り替え手段は、ＯＳＤメニューにより構成されるメニュー画面を所定のプログラムを用いたマイコンの制御により切り替えることで実現してもよいし、メニュー画面に対応する新たな映像をＥＥＰＲＯＭなどの記録部に記録して、選択するものであってもよい。また、上記設定選択手段は、同様にリモコンの操作を受信してマイコンが実現するものでもよいし、アナログ素子にて構成するものであってもよい。
【００１６】
また、請求項３にかかる発明では、請求項２に記載のＤＶＤ再生装置において、上記メニュー画面切り替え手段は、ＤＶＤメディアが記録する操作メニューに関する設定データや、当該ＤＶＤ再生装置の設定データに基づいて、使用できないメニューに対応する上記メニュー画面を画面に表示しない構成としてある。
【００１７】
上記のように構成した発明において、メニュー画面切り替え手段は、ＤＶＤメディアや装置自体に設定された設定データに基づいて、事前に使用できないメニューに対応するメニュー画面を、メニューキーを操作しても画面に表示しないよう指示するため、設定操作をさらに迅速に行うことが可能となる。上述した設定データは予めＤＶＤメディア等に記録されたものや、当該ＤＶＤ再生装置の設定によりメニューが使用できるかどうかの判別を行うが、メニュー画面にてユーザが設定できるものであってもよい。
【００１８】
さらに、請求項４にかかる発明では、請求項２または請求項３のいずれかに記載のＤＶＤ再生装置において、上記メニュー画面切り替え手段は、上記リモコンの操作に対応する操作履歴を記録しており、上記操作履歴に記録されるメニューの使用回数が使用回数を表すしきい値以下である場合は、上記しきい値以下であるメニューを画面に表示しない構成としてある。
上記のように構成した請求項４にかかる発明において、メニュー画面切り替え手段は、操作履歴に基づいて、使用回数の少ないメニュー画面は画面に表示しないので、個々のユーザの使用状態に合わせた操作を行うことが可能となる。上述した使用履歴は、マイコンが生成するテーブルを使用するものであってもよいし、データとして記録されるものであってもよい。 
【発明の効果】
【００１９】
以上説明したように本発明によれば、映像、および音声の再生時に複数のメニューを統一した操作で迅速に行うことができ、さらには操作キーを少なくすることができる。
また請求項３にかかる発明によれば、使用しないメニューは自動で操作から除外されるので、設定操作をさらに迅速に行うことが可能となる。
そして請求項４にかかる発明によれば、ユーザの使用履歴に応じて使用メニューを自動で選択するので、個々のユーザの使用状態に合わせた操作を行うことが可能となる。
さらに請求項１のような、より具体的な構成において、上述した請求項２〜請求項４の各発明と同様の作用を奏することはいうまでもない。
【発明を実施するための最良の形態】
【００２０】
本発明の記録装置の具体的な説明として、ＤＶＤ再生装置を基に説明する。
以下、下記の順序に従って本発明の実施形態を説明する。
（１）ＤＶＤ再生装置の構成
（２）メニュー画面の選択方法
（３）第二の実施の形態
（４）まとめ
【００２１】
（１）ＤＶＤ再生装置の構成
以下、図１〜図６を参照して、この発明に係る記録装置を具体化したＤＶＤ再生装置１０について説明する。図１は、ＤＶＤ再生装置１０のブロック構成図である。同図より、ＤＶＤ再生装置１０は、本体部１１とリモコン１２とを有する構成である。本体部１１は、リモコン１２の操作に基づいて、本体部１１を制御するためのリモコンＩ／Ｆ１３、マイコン１４、ＥＥＰＲＯＭ１５、ＲＡＭ１６と、マイコン１４の制御の基、映像や音声を読み取るストリームコントローラー１９、ＨＤＤ１７、ＤＶＤローダー１８、エンコーダ２０、デコーダ２１と、テレビジョン装置などの外部機器と接続するための入力端子２２、出力端子２３とを有する構成である。
【００２２】
リモコン１２は、押圧に基づいて所定の操作信号を出力する操作キー１２ｂと、操作キー１２ｂの操作に基づく操作信号を赤外線信号に変換して本体部１１に出力する赤外線送信部１２ａとを有する構成である。操作キー１２ｂとしては、本体部１１の電源のオン／オフを切り替える電源キー１２ｂ１、チャネルを切り替えるためのチャネルキー１２ｂ２、音量を調整するための音量キー１２ｂ３、画面にメニュー画面を表示するためのメニューキー１２ｂ４、上記メニュー画面上で特定のアイコンを上下に操作する上下キー１２ｂ５、同アイコンを左右に操作する左右キー１２ｂ６、さらには上記アイコンにて選択した項目を実行するためのエンターキー１２ｂ７とを有する構成である。
【００２３】
上述した各操作キー１２ｂを操作して赤外線信号が赤外線送信部１２ａから出力されると、リモコンＩ／Ｆ１３は上記赤外線信号を受け取り、操作信号に再度変換しマイコン１４に出力する。マイコン１４は上記操作信号を受け取るとともに、通常はＥＥＰＲＯＭ１５に記録された各プログラムに従って、操作信号に応じた制御を行う。また、マイコン１４はＥＥＰＲＯＭ１５に記録されたプログラムを実行する作業テーブルとしてＲＡＭ１６さらには一時的な記録場所である内部メモリ１４ａを使用する。
【００２４】
本体部１１は、入力端子２２と、出力端子２３を用いてテレビジョン装置等の外部機器と映像信号、並びに音声信号の受け渡しを行っている。上記した映像信号と音声信号は入力端子２２を介して本体部１１のＨＤＤ１７やＤＶＤローダー１８に載置されたＤＶＤ等のメディアに記録されるとともに、ＨＤＤ１７やＤＶＤ等のメディアに記録されたデータを出力端子２３を介してテレビジョン装置の本体部１１に表示させることが可能である。以下に概略的なＤＶＤ再生装置１０の機能を説明する。
【００２５】
テレビジョン装置が表示する映像を記録する場合、テレビジョン装置から出力された映像／音声データは、入力端子２２を介してエンコーダ２０に出力される。映像／音声データは、エンコーダ２０内のメモリ２０ａに一時記録されるとともに、エンコーダ２０は上記記録された映像／音声データに所定の信号処理を行った後、ＭＰＥＧ２方式の圧縮を行うことで、映像／音声データのデータを圧縮する。上記圧縮された映像／音声信号は、ストリームコントローラー１９に出力された後、マイコン１４の指示の基にＨＤＤ１７、又はＤＶＤローダー１８に載置されたＤＶＤメディアのいずれかに記録される。
【００２６】
ＨＤＤ１７やＤＶＤローダー１８に配置されたＤＶＤメディアに記録された映像／音声データをテレビジョン装置に表示させる場合、ＨＤＤ１７やＤＶＤに記録された映像／音声データは、マイコン１４の読み出し指示の後、ストリームコントローラー１９に出力される。ストリームコントローラー１９に出力された映像／音声データはデコーダ２１内のメモリ２１ａに出力され、ＭＰＥＧ２形式の圧縮を解除される。上記圧縮を解除された映像／音声信号は出力端子２３を介してテレビジョン装置に出力される。また、ストリームコントローラー１９は、マイコン１４の指示に基づいて、ＨＤＤ１７に記録された映像／音声データをＤＶＤローダー１８に載置されたＤＶＤメディアに記録したり、逆にＤＶＤメディアに記録された映像／音声データをＨＤＤ１７に記録させることも可能である。
【００２７】
上述したＤＶＤメディア等をテレビジョン等の外部機器に表示した状態で、リモコン１２のメニューキー１２ｂ４を操作すると、テレビジョン装置の画面には各種設定を変更するためのメニュー画面が表示される。上記したメニュー画面はＯＳＤ回路２４のメモリ２４ａにあらかじめ記録されており、リモコン１２の操作に基づいてマイコン１４がＯＳＤ回路２４に指示を出すことにより所定のメニュー画面を表示する。図２は、ＯＳＤ回路２４のメモリ２４ａに記録されるメニュー画面の構成を示す図である。同図より、リモコン１２のメニューキー１２ｂ４の操作により表示されるメニュー選択画面を頂上として、上記メニュー選択画面上で各メニューを選択するための操作を行うことで、下位の階層の各メニューを選択していく。
【００２８】
本発明の一実施形態としてのメニュー構成としては、画質調整のためのメニューと、音声調整のためのメニューとに台別される。画質の調整用のメニューとしては、映像データにパケット上に記録された異なる映像を表示させるためのサブタイトル、映像を表示する角度を変えるアングル、映像のある一箇所を拡大するズーム、映像の黒レベルの階調を調整するブラックレベル、さらにはサーチ、マーカーサーチ等が上げられる。また、音声の調整用のメニューとしては、音域を変化させるオーディオメニュー、臨場感のある音声にするバーチャルサラウンドシステム（Ｖ・Ｓ・Ｓ）、さらにはリピートレベル、ＡーＢリピート等が上げられる。上述した各メニューはリモコン１２のメニューキー１２ｂ４の押圧に連動して、画面上で各メニューが次々切り替えられて表示される。
【００２９】
上述したメニューキー１２ｂ４で選択された後の各メニューの設定方法を以下に説明する。サブタイトルの操作方法としては、メニューキー１２ｂ４による切り替えによる選択が行われた後、上下キー１２ｂ５を用いてサブタイトルストリームを切り替え、左右キー１２ｂ６を用いてサブタイトルのオン／オフを切り替える。アングルの操作方法としては、メニューキー１２ｂ４による選択が行われた後、上下キー１２ｂ５を用いて再生するアングルを切り替える。ズームの操作方法としては、メニューキー１２ｂ４による選択が行われた後、エンターキー１２ｂ７を用いてズームの倍率を調整するとともに、上下キー１２ｂ５、左右キー１２ｂ６を用いてズーム位置を変更する。ブラックレベルの操作方法としては、メニューキー１２ｂ４にて選択された後、上下キー１２ｂ５を用いてブラックレベルのオン／オフを切り替える。サーチ、マーカーサーチの操作方法としては、メニューキー１２ｂ４にて選択した後、上下キー１２ｂ５および左右キー１２ｂ６を用いて各種操作を行う。
【００３０】
また、オーディオメニューの操作方法としては、メニューキー１２ｂ４による選択が行われた後、上下キー１２ｂ５によりオーディオストリームや音声チャンネルの切り替えを行う。Ｖ・Ｓ・Ｓの操作方法とて、メニューキー１２ｂ４による選択が行われた後、上下キー１２ｂ５を用いてオン／オフを切り替える。リピートレベルの操作方法としては、上下キー１２ｂ５を用いて操作の切り替えを行う。ＡーＢリピートの操作方法としては、エンターキー１２ｂ７を用いてリピートの実行／解除を切り替える。
【００３１】
各メニューに対応するメニューキー１２ｂ４での選択後の操作は、上下キー１２ｂ５、左右キー１２ｂ６、エンターキー１２ｂ７のいずれかを使用して各種操作を行えばよいため、上述した操作方法に限定されるものではない。また、上述した各メニューは公知技術であるため、機能とその作用をここでは省略し、上記各メニューの選択方法を中心に説明を行う。
【００３２】
図３は、各メニューを選択するためにマイコン１４が参照するメニュー操作テーブルを表す図である。同図より、メニュー操作テーブルは、後述するマイコン１４のカウンタＮｃに対応した番号を示すカウンタ番号Ｎｃ、メニュー選択画面上で選択する各メニューの操作名称、上記各メニューを選択した操作履歴としての操作回数Ｎｍ、各メニューがＯＳＤ回路２４のメモリ２４ａのどのアドレスに記録されているかを示すアドレス、さらにはメニューキー１２ｂ４を操作した際、マイコン１４が選択しないメニューを示す「●」が表示されている。通常、ＤＶＤメディアには、各操作メニューが実行可能であるかどうかを設定データとして記録している。上述した構成によりマイコン１４、ＥＥＰＲＯＭ１５さらには、ＯＳＤ回路２４はメニュー画面選択手段、および設定選択手段を構成する。
【００３３】
一例としては、操作メニューであるズームに対応できるデータをＤＶＤメディアが記録していない場合は、ＤＶＤメディアにはズームが使用できないことを示す設定データが記録されており、マイコン１４は上記設定データを参照し上記メニュー操作テーブルに記録されたメニューの中で実行できないメニューには「●」を記すことでメニューキー１２ｂ４を操作しても対応するメニュー画面を画面に表示しない。上述した設定はＤＶＤ再生装置１０側にもあらかじめ設定されており、これによりメニュー選択が予め限定されることとなる。上述したメニュー画面の表示／非表示は上述した方法に限定されることなく、ＤＶＤメディア、およびＤＶＤ再生装置からの操作データを基に、メニューの非選択を行うものであればよい。
【００３４】
また、ＤＶＤ再生装置１０は、マイコン１４が上記メニュー操作テーブルを参照して、所定の制御を行うためのメニュー画面選択プログラムをＥＥＰＲＯＭ１５に記録している。以下にメニュー画面選択プログラムの具体的な説明を行う。図４は、マイコン１４が実行するメニュー画面選択プログラムのフローチャートである。リモコン１２のメニューキー１２ｂ４が操作されると、マイコン１４は上記信号を受信して、ＯＳＤ回路２４にメニュー画面である操作入力画面を表示するよう指示を出す（ステップＳ１００）。さらに、マイコン１４は内部メモリ１４ａに記録されたカウンタＮｃを０にする。（ステップＳ１１０）。画面上で上記操作入力画面が表示された状態で、リモコン１２のメニューキー１２ｂ４を押圧すると、マイコン１４は上記操作信号を受け取り（ステップＳ１２０）、内部メモリ１４ａに記録されたカウンタＮｃにプラス１を行う（ステップＳ１３０）。
【００３５】
次にマイコン１４は、内部メモリ１４ａのカウンタＮｃがメニュー操作テーブルに記録されるメニュー操作の数を表すしきい値Ｔ１以下であるかどうかを判断し（ステップＳ１４０）、カウンタＮｃがＴ１以下であれば、メニュー操作テーブルを参照する（ステップＳ１５０）。図３のメニュー操作テーブルを例にすると、しきい値Ｔ１は１１となるため、マイコン１４は、内部メモリ１４ａに記録されたカウンタＮｃが１１（Ｔ１）以下であるかどうかを判断する。画面上に操作入力画面を表示した状態では、マイコン１４が内部メモリ１４ａに記録するカウンタＮｃは１であるため、マイコン１４はメニュー操作テーブルに記載されたカウンタＮｃ（１）に対応した「オーディオ」メニューを参照する。次に、マイコン１４は、メニュー操作テーブルにて各メニューに「●」が付けられているかどうかを参照して、上記カウンタＮｃに対応したメニューが操作可能であるかを判断し（ステップＳ１６０）、操作が可能であるなら上記参照したメニューに対応する画面を上記メニュー操作テーブルのアドレスを参照して表示するようＯＳＤ回路２４に指示を出す（ステップＳ１７０）。
【００３６】
上記したステップＳ１７０の状態で、マイコン１４がリモコン１２の上下キー１２ｂ５、左右キー１２ｂ６、さらにはエンターキー１２ｂ７のいずれかの操作入力を受信した場合は（ステップＳ１８０）、画面上で上記各メニューに対応する設定メニューを実行する（ステップＳ１９０）。以下にメニューのオーディオを選択した際の具体的な流れを説明する。図５はオーディオを選択した際、画面に表示させるメニュー画面を表す図である。メニューキー１２ｂ４を２回押圧して図にしめされるオーディオメニューを表示すると、画面上に「ストリーム」「音声チャネル」と表示された文字列と、上下キー１２ｂ５により上下するアイコン２５とが表示される。
【００３７】
この状態で上下キー１２ｂ５を操作して「ストリーム」を選択すると、マイコン１４はストリームコントローラー１９にＤＶＤメディアに記録されたデータから、通常は出力されないストリーム放送を出力するよう指示を出す。また、上下キーにて「音声チャンネル」を選択すると、マイコン１４はストリームコントローラー１９に音声チャネルを切り替えて出力するよう指示を出す。各メニュー画面での操作は上述したように、上下キー１２ｂ５、左右キー１２ｂ６、さらにはエンターキー１２ｂ７を用いて行われることとなる。マイコン１４は、上記した指示を行った後、メニュー操作テーブルを更新し（ステップＳ２００）通常の操作モードに復帰する。
【００３８】
また、ステップＳ１８０にて上下キー１２ｂ５、左右キー１２ｂ６、エンターキー１２ｂ７のいずれかの操作が行われず、メニューキー１２ｂ４が押圧されると、マイコン１４はステップＳ１３０に戻り、カウンタＮｃにプラス１を行う。ステップＳ１５０にて、メニュー選択テーブルを参照し、カウンタＮｃが２であるサブタイトルは操作不可である「●」と表記されているため、マイコン１４は、ステップＳ１３０に戻り、カウンタＮｃにプラス１を行う。これにより、画面上では、サブタイトルメニューに対応する画面は表示されず、結果としてメニュー画面のスキップが行われたこととなる。
【００３９】
マイコン１４は、上述したステップを繰り返し行い、ステップＳ１４０にてカウンタＮｃが１２なった場合、マイコン１４はステップＳ１１０に戻り、内部メモリ１４ａに記録したカウンタＮｃの値を０に戻す。これにより、マイコン１４は一連のステップによりメニュー操作テーブルのカウンタＮｃが１に対応するメニューから再度参照し直すこととなる。これにより、画面上で上下キー１２ｂ５、並びに左右キー１２ｂ６を操作してわざわざ先頭に表示されたメニューまで戻す必要がなくなり、ユーザはメニューキー１２ｂ４を所定回数押すのみでよく操作を統一するとともにユーザが迅速な操作を行う手助けをする。
【００４０】
上述したように、使用できないメニューは画面に表示されることなく使用可能なメニューのみを画面に表示させるため、ユーザは、メニューキー１２ｂ４の操作によって迅速にメニュー画面の切り替えを行うことが可能となる。さらには、画面上に使用できないメニューを表示しないので、ユーザが使用できない操作を行った際、ＤＶＤ再生装置１０が故障したと誤認識するのを防止することができる。また、上述した構成では、メニュー画面を操作するキーは、メニューキー１２ｂ４、上下キー１２ｂ５、左右キー１２ｂ６、さらにはエンターキー１２ｂ７の４つのキーで足りるので統一した操作で各種操作を行えるとともに、余分なキーを必要とせず操作を簡略化することが可能となる。
【００４１】
（２）第二の実施例
上述した構成により、ＤＶＤ再生装置１０は、リモコン１２のメニューキー１２ｂ４の操作によりメニュー画面で各操作を切り替え、上下キー１２ｂ５、左右キー１２ｂ６、並びにエンターキー１２ｂ７の操作により選択したメニューの決定を行うが、ユーザの各メニューの使用頻度に合わせて、メニューキー１２ｂ４での各メニューの選択方法を変更するもであってもよい。メニューキー１２ｂ４での各メニューの選択方法をユーザの各メニューの使用頻度に合わせて変更することにより、各メニューの設定をユーザの使用方法に適合したものとし、使用しないメニューは表示しないため一層迅速に行うことが可能となる。以下に具体的な構成を説明する。
【００４２】
図６は、ステップＳ２００にてメニュー操作テーブルの更新時に実行されるフローチャートである。図４のステップＳ２００にてメニュー操作テーブルの更新を行う際、マイコン１４は、内部メモリ１４ａのカウンタＮｃを０にすることでカウンタの初期化を行う（ステップＳ３００）。次に、内部メモリ１４ａに記録されたカウンタＮｃにプラス１を行う（ステップＳ３１０）。さらには、マイコン１４はメニュー選択テーブルの内部メモリ１４ａに記録されたカウンタＮｃの値に対応するメニューを参照する（ステップＳ３２０）。
【００４３】
このとき、内部メモリ１４ａに記録されたカウンタＮｃの値を０にした状態で、最初に参照するメニューは、カウンタＮｃが１に対応するメニューであるため、図３のメニュー操作テーブルを例に取ると、カウンタＮｃが１であるオーディオを参照する。以下マイコン１４がオーディオを参照した状態を想定して説明を行う。マイコン１４は、メニュー操作テーブルに記録された操作回数Ｎｍが所定の操作回数を表すしきい値Ｔ２以下であるかどうかを判断する（ステップＳ３３０）。今仮に、しきい値Ｔ２を９回と設定すると、マイコン１４はカウンタＮｃが１であるメニューに対応するオーディオの操作回数Ｎｍをしきい値Ｔ２と比較する。今オーディオのＮｍは２０であるので、マイコン１４は、ステップＳ３１０に戻りカウンタＮにプラス１を行う。
【００４４】
次にステップＳ３２０にてマイコン１４は、メニュー操作テーブルのカウンタＮ２に対応するメニューでるサブタイトルの操作回数Ｎｍを参照する。図３より、サブタイトルの操作回数は５回であるため、マイコン１４は、ステップＳ３３０にてしきい値Ｔ２以下であると判断し、サブタイトルに選択付加の「●」を表示し（ステップＳ３４０）、メニュー操作テーブルのサブタイトルの表示欄を最後尾に書き換える（ステップＳ３５０）。次に、マイコン１４は、カウンタＮｃがメニュー操作テーブルに記録された総メニュー数であるＴ１以上であるかを比較する（ステップＳ３６０）。今カウンタＮｃの数は２であるので、マイコン１４は、ステップＳ３１０に戻って所定のステップを繰り返す。上述したステップを繰り返し、マイコン１４の内部メモリ１４ａのカウンタＮｃがＴ３以上になると、マイコン１４は、プログラムからリターンし通常のモードに復帰する。
【００４５】
図７は、メニュー操作テーブル更新プログラムにより更新されたメニュー操作テーブルを示す図である。同図より、図３のメニュー操作テーブルを更新した結果、操作回数Ｎｍがしきい値Ｔ２（９）以下であるメニューは、後方に並び替えられるとともに、選択不可を表す「●」が表示される。これにより、マイコン１４が上述した一連のステップを繰り返し行う際、ユーザのメニューキー１２ｂ４の操作にて、マイコン１４は画面上に使用回数の高いメニューのみ表示を行う。また、選択しないメニューはメニュー操作テーブルの後方に並び替えられ表示するものだけが前方に並べられるため、マイコン１４がメニュー操作テーブルを参照する際、処理速度が速くなるという副次的な効果を得ることができる。
【００４６】
（４）まとめ
上述したように、リモコン１２のメニューキーの操作に基づいて、メニュー画面表示手段２４にメニュー画面を表示させるとともに、上下キー１２ｂ５と左右キー１２ｂ６、さらにはエンターキー１２ｂ７にてメニュー画面上に表示されたサブメニューを選択する指示を出すメニュー画面切り替え手段１４とを有するので、リモコン１２のメニューキー１２ｂ４の操作のみで、画面上に次々メニュー画面を表示させることができ、さらには、使用する操作メニューを設定状態と使用頻度を基に自動で選択を行うので、迅速なメニュー画面の選択操作を行うことができる。
【００４７】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００４８】
【図１】ＤＶＤ再生装置のブロック構成図である。
【図２】メニュー画面の一例を表す図である。
【図３】メニュー選択テーブルを表す図である。
【図４】メニュー画面選択プログラムのフローチャートを表す図である。
【図５】オーディオを選択した際、画面に表示させるメニュー画面を表す図である。
【図６】メニュー画面選択プログラムのフローチャートを表す図である。
【図７】操作回数により並び替えられた後のメニュー選択テーブルを表す図である。
【符号の説明】
【００４９】
１０…ＤＶＤ再生装置、１１…本体部、１２…リモコン、１２ａ…赤外線送信部、１２ｂ…操作キー、１２ｂ１…電源キー、１２ｂ２…チャネルキー、１２ｂ３…音量キー、１２ｂ４…メニューキー、１２ｂ５…上下キー、１２ｂ６…左右キー、１２ｂ７…エンターキー、１３…リモコンＩ／Ｆ、１４…マイコン、１４ａ…内部メモリ、１５…ＥＥＰＲＯＭ、１６…ＲＡＭ、１７…ＨＤＤ、１８…ＤＶＤローダー、１９…ストリームコントローラー、２０…エンコーダ、２０ａ…メモリ、２１…デコーダ、２１ａ…メモリ、２２…入力端子、２３…出力端子、２４…ＯＳＤ回路、２４ａ…メモリ、２５…アイコン
【図１】
2007306060.tif 000003
【図２】
2007306060.tif 000004
【図３】
2007306060.tif 000005
【図４】
2007306060.tif 000006
【図５】
2007306060.tif 000007
【図６】
2007306060.tif 000008
【図７】
2007306060.tif 000009